(57)【要約】【課題】付着片におけるつまみ部の視認性向上を図ることにより着脱時の作業性向上を図った使い捨てパンツを提供する。【解決手段】使い捨てパンツ１は、略環状に連なる前腹部２及び後背部３と、前腹部２及び後背部３間に連なって設けられる股部４とを備える。前腹部２に前腹部２を破断するための左右の破断部１７ａ，１７ｂが形成される。前腹部２における左右の破断部１７ａ，１７ｂよりも左右方向外方側の部分に接合された左右の付着片２２ａ，２２ｂを設ける。前腹部２の外面側における左右の破断部１７ａ，１７ｂ間に、左右の付着片２２ａ，２２ｂが着脱される付着部２３を設ける。左右の付着片２２ａ，２２ｂに、付着部２３に着脱操作するためのつまみ部２５，２６が備えられると共に、つまみ部２５，２６に周辺部位から識別するためのつまみ識別用目印部３２が設けられている。【選択図】図２
2006198068.tif 000002
【特許請求の範囲】
【請求項１】
略環状に連なる前腹部及び後背部と、その前腹部及び後背部間に連なって設けられる股部とを備え、前記股部に吸収体が設けられ、前記前腹部における前記股部が連なる部分の左右両側に前記前腹部を破断するための左右の破断部が形成された使い捨てパンツであって、
前記前腹部における前記左右の破断部よりも左右方向外方側の部分に接合された左右の付着片を設け、
前記前腹部の外面側における前記左右の破断部間に、前記左右の付着片が着脱される付着部を設け、
前記左右の付着片に、前記付着部に着脱操作するためのつまみ部が備えられると共に、つまみ識別用目印部が設けられていることを特徴とする使い捨てパンツ。
【請求項２】
請求項１に記載の使い捨てパンツにおいて、
前記つまみ識別用目印部が他の部位と異なる色で構成されていることを特徴とする使い捨てパンツ。
【請求項３】
請求項２に記載の使い捨てパンツにおいて、
前記つまみ識別用目印部の前記色が着色により構成されていることを特徴とする使い捨てパンツ。
【請求項４】
請求項１に記載の使い捨てパンツにおいて、
前記つまみ識別用目印部が、前記付着部に着脱される付着体を前記つまみ部に貼り付け固定するための着色接着剤により構成されていることを特徴とする使い捨てパンツ。
【請求項５】
請求項１に記載の使い捨てパンツにおいて、
前記つまみ識別用目印部が、他の部位と異なる色で形成されると共に、前記つまみ部に取り付け固定されて前記付着部に着脱される付着体により構成されていることを特徴とする使い捨てパンツ。
【発明の詳細な説明】
【技術分野】
【０００１】
本発明は、パンツとしてもおむつとしても利用可能な使い捨てパンツに関する。
【背景技術】
【０００２】
この種の従来の使い捨てパンツとしては、特許文献１に記載の技術がある。この特許文献１に記載のパンツでは、前身頃の左右両側に切断線を設け、その切断線の部分で前身頃を切り離し可能とすると共に、前身頃及び後身頃の左右の接合部に付着片を設けている。そして、切断線により前身頃を切り離した際に、左右の付着片により前身頃と後身頃との締結を行うように構成されている。
【０００３】
【特許文献１】特開平５−３１７３５６号公報
【発明の開示】
【発明が解決しようとする課題】
【０００４】
しかしながら、特許文献１に記載のようなこの種の使い捨てパンツにおいては、一般に全体が例えば白色等の同色系統の素材で構成されているため、切断線より切り離した後、おむつとして利用する場合、付着片が着脱される付着部に対する着脱作業に際して、付着片におけるつまみ位置が他の部位と同様の同色系統であるため、視認の際、他の部位から識別し難く、作業性に劣るという問題があった。
【０００５】
そこで、本発明の解決すべき課題は、付着片におけるつまみ部の視認性向上を図ることにより着脱時の作業性向上を図った使い捨てパンツを提供することを目的とする。
【課題を解決するための手段】
【０００６】
上記の課題を解決するため、請求項１の発明では、略環状に連なる前腹部及び後背部と、その前腹部及び後背部間に連なって設けられる股部とを備え、前記股部に吸収体が設けられ、前記前腹部における前記股部が連なる部分の左右両側に前記前腹部を破断するための左右の破断部が形成された使い捨てパンツであって、前記前腹部における前記左右の破断部よりも左右方向外方側の部分に接合された左右の付着片を設け、前記前腹部の外面側における前記左右の破断部間に、前記左右の付着片が着脱される付着部を設け、前記左右の付着片に、前記付着部に着脱操作するためのつまみ部が備えられると共に、つまみ識別用目印部が設けられた構造とされている。
【０００７】
また、請求項２の発明では、請求項１の発明に係る使い捨てパンツにおいて、前記つまみ識別用目印部が他の部位と異なる色で構成されている。
【０００８】
さらに、請求項３の発明では、請求項２の発明に係る使い捨てパンツにおいて、前記つまみ識別用目印部の前記色が着色により構成されている。
【０００９】
また、請求項４の発明では、請求項１の発明に係る使い捨てパンツにおいて、前記つまみ識別用目印部が、前記付着部に着脱される付着体を前記つまみ部に貼り付け固定するための着色接着剤により構成されている。
【００１０】
さらに、請求項５の発明では、請求項１の発明に係る使い捨てパンツにおいて、前記つまみ識別用目印部が、他の部位と異なる色で形成されると共に、前記つまみ部に取り付け固定されて前記付着部に着脱される付着体により構成されている。
【発明の効果】
【００１１】
請求項１に記載の発明によれば、付着片に備えられたつまみ部を他の部位から識別するためのつまみ識別用目印部が設けられているため、つまみ識別用目印部によってつまみ部の位置が容易に視認でき、付着部に対する付着片の着脱に際して着脱作業が容易迅速に行え、着脱時の作業性が向上する。
【００１２】
請求項２に記載の発明によれば、つまみ識別用目印部が他の部位と異なる色により構成されているため、他の部位と異なる色のつまみ部を用いたり、他の部位と異なる色をつまみ部に施すことにより容易に提供できる。
【００１３】
請求項３に記載の発明によれば、つまみ識別用目印部の色が着色により構成されているため、つまみ部を着色することにより容易に提供できる。
【００１４】
請求項４に記載の発明によれば、つまみ識別用目印部が、付着部に着脱される付着体をつまみ部に貼り付け固定するための着色接着剤により構成されているため、付着部に付着体を貼り付ける工程と同時につまみ識別用目印部を付与することができ、製造効率に優れる利点がある。
【００１５】
請求項５に記載の発明によれば、つまみ識別用目印部が、他の部位と異なる色で形成されると共に、つまみ部に取り付け固定されて付着部に着脱される付着体により構成されているため、付着部に付着体を取り付け固定する工程と同時につまみ識別用目印部を付与することができ、製造効率に優れる利点がある。
【発明を実施するための最良の形態】
【００１６】
＜第１の実施形態＞
＜概略説明＞
図１〜図８を参照して、本発明の第１の実施形態に係る使い捨てパンツ１について説明する。この第１の実施形態では、付着片２２ａ，２２ｂが前腹部２の内面側に設けられた形態について説明する。また、この使い捨てパンツ１は、略環状に連なる前腹部２及び後背部３と、その前腹部２及び後背部３間に連なって設けられる股部４とを備えた構成とされ、パンツとしてもおむつとしても利用可能となっている。なお、この使い捨てパンツ１の説明において、左及び右とは着用者から見て左手側及び右手側を指すものとする。
【００１７】
前腹部２及び後背部３とは、この使い捨てパンツ１における主に着用者の前腹部及び後背部に面する部分を指す。前腹部２の左右の縁部と後背部３の左右の縁部とは互いに接合され、これによって前腹部２と後背部３とは略環状に連なっている。このため、使い捨てパンツ１の左右の縁部には、前腹部２の左右の縁部と後背部３の左右の縁部とを接合する左サイド接合部１１ａ及び右サイド接合部１１ｂが形成されている。このサイド接合部１１ａ，１１ｂでの接合は、接着剤、例えばホットメルト接着剤による接着と超音波溶着（或いは、加熱溶着）とのいずれか一方、又はその両方の併用により行われる。
【００１８】
股部４とは、この使い捨てパンツ１における主に着用者の股部に面する部分を指し、その前股部４ａ及び後股部４ｂがそれぞれ前腹部２及び後背部３にそれぞれ連なっている。本実施形態では、股部４の前股部４ａ及び後股部４ｂが前腹部２及び後背部３に接着剤、例えばホットメルト接着剤により接合されている。なお、変形例として、股部４を前腹部２及び後背部３の一方又は両方と連続した部材により一体に形成してもよい。
【００１９】
このように略環状に連なった前腹部２及び後背部３の上縁部１２ａ，１２ｂ，１３によりウエスト開口部Ｑが形成されている。また、前腹部２の左前腹部２ａの下縁部１４ａ、後背部３の左斜め下の傾斜状の縁部１５ａ、及び股部４の左縁部１６ａにより左脚開口部Ｒａが形成されると共に、前腹部２の右前腹部２ｂの下縁部１４ｂ、後背部３の右斜め下の傾斜状の縁部１５ｂ、及び股部４の右縁部１６ｂにより右脚開口部Ｒｂが形成されている。
【００２０】
＜前腹部＞
前腹部２は、全体形状としては正面視略横長矩形状であり（図１参照）、左前腹部２ａ、右前腹部２ｂ及びそれらの中間に位置する中前腹部２ｃを備えている。左前腹部２ａと中前腹部２ｃとの間には、前腹部２を上下に縦断する左破断部１７ａが形成され、右前腹部２ｂと中前腹部２ｃとの間には、前腹部２を上下に縦断する右破断部１７ｂが形成されている。中前腹部２ｃには、股部４の前股部４ａとの接合部分１８が形成されている（図５参照）。接合部分１８での接合は、接着剤、例えばホットメルト接着剤を用いて行われている。
【００２１】
左右の破断部１７ａ，１７ｂは、前股部４ａの両側縁部よりも内側の位置に形成されている。ここでは、前股部４ａの両側縁部よりも内側に、付着片２２ａ，２２ｂが折畳まれた形態で左右の各前腹部２ａ，２ｂにそれぞれ取付けられており、この折畳まれた付着片２２ａ，２２ｂの内側縁部に沿うようにして左右の破断部１７ａ，１７ｂが形成されている。各破断部１７ａ，１７ｂは、その周囲部分よりも弱化された線状の部分であり、例えば、前腹部２を線状に加熱することにより（例えばヒートシール）、或いは、断続的に切断してミシン目状に加工することにより、或いは、線状に超音波加工することにより（例えば超音波シール）形成されている。
【００２２】
そして、この破断部１７ａ，１７ｂを破断することにより、前腹部２を破断部１７ａ，１７ｂの部分で切り離せるように構成されている（図２〜図４参照）。これにより、前腹部２が、股部４の連なる部分で、略中央部の中前腹部２ｃと、その左右の前腹部２ａ，２ｂとに破断される。なお、破断部１７ａ，１７ｂは、直線状に形成してもよいし、必要に応じて曲線状に形成してもよい。また、線状に弱化された部分を略平行に複数本形成することで、各破断部１７ａ，１７ｂを形成してもよい。
【００２３】
左前腹部２ａ及び右前腹部２ｂの上縁部１２ａ，１２ｂには、ウエスト用弾性部材１９ａ，１９ｂが左右方向に伸張された状態で取り付けられている。左前腹部２ａ及び右前腹部２ｂの下縁部１４ａ，１４ｂには脚用弾性部材２０ａ，２０ｂが左右方向に伸張された状態で取り付けられている。左前腹部２ａ及び右前腹部２ｂの上縁部１２ａ，１２ｂと下縁部１４ａ，１４ｂとの間の部分には、ボディ用弾性部材２１ａ，２１ｂが左右方向に伸張された状態で取り付けられている。これらの弾性部材１９ａ，１９ｂ，２０ａ，２０ｂ，２１ａ，２１ｂの収縮・伸張により前腹部２（特に、左前腹部２ａ及び右前腹部２ｂ）が着用者の腹部に沿うように柔らかくフィットすることができる。
【００２４】
このような前腹部２は、肌面側の内層シート５７と、外側の外層シート５８との間に弾性部材１９ａ，１９ｂ，２０ａ，２０ｂ，２１ａ，２１ｂを挟み込んで構成されている（図１及び図５参照）。
【００２５】
左前腹部２ａ及び右前腹部２ｂの内面側であってその中前腹部２ｃ側の端部には、略シート状の左付着片２２ａ及び右付着片２２ｂが接着剤、例えばホットメルト接着剤により接合されている（図１〜図５参照）。
【００２６】
この付着片２２ａは、破断部１７ａ，１７ｂで破断する前のパンツ形態では、左前腹部２ａ及び右前腹部２ｂの内面側に配設されている。また、付着片２２ａ，２２ｂのうち破断部１７ａ，１７ｂを越えて張り出し状に延びる部分（ここでは、後述するつまみ部２５，２６）は、その基端側に向けて折返されるように畳まれている（図１及び図５参照）。
【００２７】
そして、破断部１７ａ，１７ｂを破断しておむつ形態で使用する際には、付着片２２ａ，２２ｂは左前腹部２ａ及び右前腹部２ｂの端部から延出して、付着部２３の外面に着脱自在に止着される（図７及び図８参照）。
【００２８】
即ち、中前腹部２ｃの外面側には、付着片２２ａ，２２ｂを止着させるための面状の付着部２３が設けられている。この付着部２３の横幅は、左右の破断部１７ａ，１７ｂ間の間隔（即ち、中前腹部２ｃの横寸法）以下に設定され、その縦幅は、付着片２２ａ，２２ｂの縦寸法とほぼ等しく設定されている。
【００２９】
付着片２２ａ，２２ｂは、略縦長帯状の本体部２４と、その本体部２４から上下に二股に分かれてその自由端側に向けて延設された２片のつまみ部２５，２６とをそれぞれ有している。本体部２４の左右方向外方側端部は、接着剤６６、例えばホットメルト接着剤により、左前腹部２ａ及び右前腹部２ｂの内面側であって破断部１７ａ，１７ｂ側の端部の手前側の部分に接合されている（図５参照）。
【００３０】
付着片２２ａ，２２ｂの各つまみ部２５，２６の内面側（おむつ形態で付着部２３に面する側の一方面）には、付着体２７，２８がそれぞれ設けられている。即ち、各付着体２７，２８は、接着剤、例えばホットメルト接着剤を介して各つまみ部２５，２６の内面側に貼り付け固定されている。そして、付着片２２ａ，２２ｂの本体部２４から延設された各つまみ部２５，２６は折返されて、付着体２７，２８は前腹部２の外側に指向した状態とされている。また、付着体２７，２８は、付着片２２ａ，２２ｂの外周縁部よりも内側の領域に設けられている。ここでは、図３に示されるように、付着体２７，２８は、各つまみ部２５，２６よりも小さな略方形状に形成されている。そして、付着体２７，２８は、各つまみ部２５，２６の一方面側にその外周縁部に重ならないような態様で取付けられており、図７及び図８に示されるように、各付着片２２ａ，２２ｂは、付着体２７，２８を介して付着部２３に着脱自在に止着する構造とされている。
【００３１】
また、各つまみ部２５，２６の先端部付近及び基端部付近に、図１〜図４に示されるように、つまみ部２５，２６をその周辺部分に位置する前腹部２、付着部２３、本体部２４等から視認によって容易に識別可能とすべく、つまみ識別用目印部３２がそれぞれ設けられている。例えば、本実施形態においては、使い捨てパンツ１を主構成する前腹部２、後背部３、股部４、付着片２２ａ，２２ｂ、付着部２３、付着体２７，２８等が白色等の同色系統で形成され、前記つまみ識別用目印部３２は、例えばインクジェット方式等の着色手段により染料等で他の部位と異なる緑色等の着色をライン状につまみ部２５，２６に施す構成や、他の部位と異なる緑色等の着色テープをライン状につまみ部２５，２６表面に貼着する構成等によって備えられている。
【００３２】
さらに、本実施形態においては、この付着片２２ａ，２２ｂの内面のうち付着体２７，２８よりも基端側の部分（本体部２４の内面側の部分）も、付着部２９とされている。そして、付着片２２ａ，２２ｂのつまみ部２５，２６の付着体２７，２８を上記付着部２３に止着した状態で、後述する付着体５０も付着片２２ａ，２２ｂの本体部２４の付着部２９に着脱自在に止着するように構成されている（図７及び図８参照）。
【００３３】
また、付着片２２ａ，２２ｂのうち前記付着体２７，２８が設けられた面とは反対側の他方面側（外面側）も付着部とされている。この付着部は、上記付着体２７，２８を着脱自在に止着可能な構成とされている。
【００３４】
そして、一方側の付着片２２ａ（又は２２ｂ）を、付着体２７，２８を介して付着部２３に止着した状態で、他方側の付着片２２ｂ（又は２２ａ）を該一方側の付着片２２ａ（又は２２ｂ）の上に重ね合せるようにして止着できるようにも構成されている。
【００３５】
なお、付着片２２ａ，２２ｂの外面側の付着部の配設領域は、付着片２２ａ，２２ｂの他方面側の全体或いは一部であっても構わないが、つまみ部２５，２６の先端部を含むように配設した方が、付着片２２ａ，２２ｂ同士を重ね合わてしっかりと固定し易いという利点がある。
【００３６】
付着部２３，２９等の具体例としては、表面に微細なループ構造が密に形成された不織布、織布、編み物等を有するループ側部材が考えられる。また、付着体２７，２８，５０の具体例としては、そのループ側部材に着脱自在に係合する微細なフック構造が表面に密に形成されたフック側部材が考えられる。
【００３７】
さらに具体的には、付着部２３，２９等としては、例えば、面ファスナーのループ側部材として好適に用いられる不織布、織布等を表面に有するプラスチックフィルム複合材が用いられる。付着部２３，２９等としては、ループ側部材を別部材として中前腹部２ｃ又は付着片２２ａ，２２ｂに貼着する構成、或いは、中前腹部２ｃの外面又は付着片２２ａ，２２ｂの外面や内面自体をループ側部材として機能させる構成であってもよい。そのためには、例えば、付着片２２ａ，２２ｂや中前腹部２ｃ自体の材料としてループ構造を持つものを選択したり、或いは、付着片２２ａ，２２ｂや中前腹部２ｃの表面の所要部分を毛羽立たせるように表面処理したり、さらに、付着片２２ａ，２２ｂや中前腹部２ｃに毛を織込んでループ構造を持たせるように加工等すればよい。
【００３８】
付着体２７，２８，５０としては、面ファスナーのフック側部材として好適に用いられる表面に密に形成されたピンを有するプラスチックフィルムが用いられる。
【００３９】
また、付着部２３，２９等の他の具体例としては、粘着剤との繰り返し剥離性を有するように表面処理、例えばピーロイル加工されたプラスチックフィルム等が考えられ、その他の具体例としては、繰り返し利用可能な接着剤等が考えられる。
【００４０】
なお、前記付着部２３，２９等と、付着体２７，２８，５０の前記具体例において、それらの構成を入替えてもよい。
【００４１】
また、本実施形態では、付着片２２ａ，２２ｂの各つまみ部２５，２６の先端縁部は、着脱操作時につまみ部２５，２６をつまみやすくする目的から、付着体２７，２８は設けられていない。
【００４２】
この前腹部２においては、各破断部１７ａ，１７ｂで破断すれば、右前腹部２ｂが付着片２２ｂと一体となって右側に展開でき、また、左前腹部２ａが付着片２２ａと一体となって左側に展開できる。この場合、中前腹部２ｃは股部４と接合された状態に保たれ、前股部４ａの外側に残ることになる。
【００４３】
そして、この使い捨てパンツ１は、破断部１７ａ，１７ｂを破断する前の状態（製品出荷時の状態）では、前腹部２と股部４とが接合部分１８によって固定されているため、パンツとして機能し、付着片２２ａ，２２ｂ等の開閉手段のない通常の使い捨てパンツと同様に容易に上げ下げできるように構成されている（図１参照）。
【００４４】
また、この使い捨てパンツ１がパンツ状態で着用されている場合において、後述する吸収体４３が排泄物を吸収、保持した場合には、破断部１７ａ，１７ｂを破断して展開し、パンツ１を着用者から容易に取り除くことができる。この場合、着用者の衣服を脱がさなくとも、パンツ１の取外しができる。
【００４５】
また、破断部１７ａ，１７ｂを破断し、前腹部２を展開して、パンツ１の内部の汚染状況を確認した後、付着片２２ａ，２２ｂの各つまみ部２５，２６を展開して伸し、付着部２３に係合させて、パンツ１を元のパンツ状態に戻すことができる。また、このパンツ１と尿取りパット等の補助パットとを併用しているときにも、付着片２２ａ，２２ｂを着脱して補助パットの交換等を容易に行うことができる。
【００４６】
また、着用させる前に、パンツ１を図３に示す状態に展開しておいて着用者の臀部にあてがい、図３から図２、図１の順に閉じてゆくことにより、このパンツ１を通常の使い捨ておむつのように利用することもできる。この場合、着用者の衣服を脱がさなくとも、パンツ１の着用及び取り外しができる。
【００４７】
また、破断部１７ａ，１７ｂを破断した状態で使用する際に、着用者の腰回り寸法が小さい場合には、両付着片２２ａ，２２ｂを重ね合せるようにして止着させることができる。即ち、一方側の付着片２２ａ（又は２２ｂ）のつまみ部２５，２６を、付着部２３に止着した状態で、他方側の付着片２２ｂ（２２ａ）のつまみ部２５，２６を、該一方側の付着片２２ａ（又は２２ｂ）の上に重ね合せるようにして、付着部２３等に止着させることができる。
【００４８】
＜股部＞
股部４は、図３及び図４に示すように、全体形状としては展開すると前後方向に延びる略帯状の形態を有し、前股部４ａ、後股部４ｂ及びそれらの中間に位置する中股部４ｃを備え、主に中股部４ｃを中心として着用者の股間部にあてがわれる。前股部４ａは、図５に示すように、中前腹部２ｃの内面側に重ね合わされた状態で接合部分１８によって中前腹部２ｃと接合されている。後股部４ｂは、図３に示すように、後背部３の内面側に重ね合わされた状態で後背部３と接着固定されている。このような股部４の左縁部１６ａ及び右縁部１６ｂには、脚用弾性部材４０ａ，４０ｂが縁部１６ａ，１６ｂの延設方向に伸張された状態で取り付けられている。
【００４９】
股部４は、図３及び図６に示すように、透液性のトップシート４１と不透液性のバックシート４２との間に、吸収体４３を挟み込んで構成されている。吸収体４３は、所定の横幅を有し、中股部４ｃを中心にして前後方向に帯状に広がっている。股部４の内面側における吸収体４３の左右両側には、股部４の延設方向に沿って延びる起立部４４ａ，４４ｂが設けられている。
【００５０】
例えば、トップシート４１は透液性の不織布等により構成され、バックシート４２は撥水性不織布等により構成される。また、吸収体４３は、例えば、粉砕したパルプ繊維やセルロース繊維等の親水性繊維集合層に粒状の高分子吸収体を混合した塊をティッシュペーパー等の紙シートまたは透液性不織布シート等の被覆シートで包み、所定形状に成形されたものである。
【００５１】
トップシート４１及びバックシート４２の吸収体４３と重ならない部分は、互いに対向する面同士が接着剤、例えばホットメルト接着剤によって互いに接合されている。より好ましくは、図６に示すように、トップシート４１の横幅は、吸収体４３の肌面側を覆い、かつバックシート４２の横幅よりも若干狭く設定され、トップシート４１の吸収体４３を超えて前後左右に張り出した部分が、接着剤、例えばホットメルト接着剤によりバックシート４２と接合されている。バックシート４２におけるトップシート４１の左右両側に張り出した部分の肌面側には、起立部４４ａ，４４ｂを構成する左右のサイドシート４５ａ，４５ｂが接着剤、例えばホットメルト接着剤によって接合されている。
【００５２】
また、サイドシート４５ａ，４５ｂの前後方向の両端縁は、図５に示すように、股部４の前後方向の両端縁に接着剤６０、例えばホットメルト接着剤により接合されている。サイドシート４５ａ，４５ｂの左右方向内方側縁部は、前後方向に伸びる弾性部材４６を包み込むようにして、封止部４７にて熱溶着（または超音波溶着）等により固定されている。起立部４４ａ，４４ｂは、弾性部材４６の収縮力によりその左右方向内方側縁部が縮められ、これによって図６に示すように着用者の肌に押し付けられる方向に起立する。
【００５３】
また、本実施形態では、図３に示すように、股部４における前腹部２及び後背部３の腰回り部３ａと重なる重複部分において、左右の縁部を傾斜辺４８ａ，４８ｂ，４９ａ，４９ｂとし、その横幅を前後方向の端縁側に向けて徐々に減少させている。
【００５４】
この傾斜辺４８ａ，４８ｂにより、使い捨てパンツ１を上げ下げする際に、前股部２ａが引っ掛かってめくれたり、折れ曲がったり、着用者の肌に影響を及ぼすのを防止し、スムーズに上げ下げすることができる。
【００５５】
また、通常、後背部３と股部４とが重なる領域については、後背部３の収縮力が弱まる傾向にあるが、前記傾斜辺４９ａ，４９ｂによるトリム領域を形成することにより、後背部３の伸縮部分の面積が後背部３の上側に向けて徐々に増えてゆき、これによって後背部３が着用者の後背部にフィットしやすくなる。
【００５６】
さらに、股部４の前腹部２側の端部の両側部には、付着体５０が設けられている（図２及び図３参照）。この付着体５０は、付着片２２ａ，２２ｂ内面側の付着部２９と対向する位置に形成されている。そして、付着片２２ａ，２２ｂの付着部２７，２８を前記付着部２３に止着した状態で、付着体５０が付着片２２ａ，２２ｂ内面側の付着部２９に着脱自在に止着するように構成されている（図８参照）。
【００５７】
なお、股部４の構成の変形例として、吸収体４３をシート４１，４２の間に挟み込むのではなく、吸収体４３をシート４２の肌面側に貼着し、シート４１を省略する構成としてもよい。或いは、吸収体４３の前後の端部にシートを接合したものを股部４として用いるようにしてもよく、大型の吸収体４３を用いてその吸収体４３を股部４として用い、シート４１，４２を省略するようにしてもよい。さらには、吸収体４３を股部４と別体に構成し、着脱自在に設ける構成としてもよい。
【００５８】
＜後背部＞
後背部３は、図３及び図４に示すように、展開すると略矩形の左右下側の角を略斜めに切り落としたような形態を有し、着用者の背面側の腰回り部から臀部にかけた部分にあてがわれる。このため、この後背部３は、着用者の背面側の腰回り部に主に位置する正面視略横長帯状の腰回り部３ａと、その腰回り部３ａの下側に連なり着用者の臀部に主に位置する正面視略台形状の臀部３ｂとを備えている。
【００５９】
腰回り部３ａの上縁部１３には、ウエスト用弾性部材５１が左右方向に伸張された状態で取り付けられており、腰回り部３ａのそれ以外の領域には、ボディ用弾性部材５２が左右方向に伸張された状態で取り付けられている。後背部３の左斜め下の傾斜状の縁部１５ａには、脚用弾性部材５３ａが縁部１５ａに沿って伸張された状態で取り付けられており、後背部３の右斜め下の傾斜状の縁部１５ｂには、脚用弾性部材５３ｂが縁部１５ｂに沿って伸張された状態で取り付けられている。これらの弾性部材５１，５２，５３ａ，５３ｂの収縮、伸張により後背部３が着用者の後背部及び臀部にフィットしやすくなっている。
【００６０】
特に、後背部３の臀部３ｂは、下側に向けて横幅が徐々に狭くなる構成とされていると共に、その左右の傾斜状の縁部１５ａ，１５ｂに脚用弾性部材５３ａ，５３ｂが設けられているため、脚用弾性部材５３ａ，５３ｂの収縮力により縁部１５ａ，１５ｂが縮められると、臀部３ｂが着用者の臀部にフィットしやすくなっている。
【００６１】
なお、脚用弾性部材５３ａ，５３ｂは、臀部３ｂの左右の傾斜状の縁部１５ａ，１５ｂ及び下縁部１５ｃに沿って連続的に臀部３ｂに取り付けられた後、少なくとも股部４の吸収体４３と重なる部分５４（図４参照）について、弱化処理が施されている。弱化処理とは、その部分５４の弾性部材を切断したり、収縮力を弱める処理を行う等により、ノーテンション状態とすることである。これにより、脚用弾性部材５３ａ，５３ｂの収縮力によって吸収体４３に不所望な歪み等が生じ、その吸収機能が低下するのが防止される。
【００６２】
＜その他の構成及び各部の材料等＞
なお、前腹部２に設ける左右の弾性部材１９ａ，１９ｂ、弾性部材２０ａ，２０ｂ及び弾性部材２１ａ，２１ｂについては、前記脚用弾性部材５３ａ，５３ｂの場合と同様に、弾性部材２０ａ，２０ｂ，２１ａ，２１ｂを中前腹部２ｃを介して左右方向に連続的に前腹部２に設けた後、弾性部材２０ａ，２０ｂ，２１ａ，２１ｂの中前腹部２ｃに位置する部分について、弱化処理を施すのが好ましい。
【００６３】
また、付着片２２ａ，２２ｂの材料構成としては、不織布、織布、編布、プラスチップ材から適宜選択できる。中でも、スパンボンド法、エアースルー法、ポイントボンド法、メルトブロー法及びエアレイド法のうちの１つまたは複数の製法の組み合わせによって製造される不織布が好ましい。さらに、目付３０〜１００ｇ／ｍ2で、スパンボンド法若しくは、スパンボンド法とメルトブロー法とを組み合わせたＳＭＳ法により製造された不織布が強度の点から好ましい。最も好ましいのは、目付５０〜８５ｇ／ｍ2でスパンボンド法により製造された不織布である。材質としては、ポリプロピレン、ポリエチレン、ポリエステル、ポリアミド等の合成繊維、パルプ、絹等の天然繊維から適宜選択できるが、好ましくはポリプロピレン、ポリエチレン、ポリエステルといった合成繊維が利用でき、中でもポリプロピレン、ポリエステル繊維を主成分とするものは強度があり、好適である。最も好ましいのは、ポリエステル繊維である。
【００６４】
また、各弾性部材１９ａ，１９ｂ，２０ａ，２０ｂ，２１ａ，２１ｂ，４０ａ，４０ｂ，４６，５３ａ，５３ｂとしては、通常使い捨てパンツに用いられる弾性伸縮材料（ポリウレタン糸、ポリウレタンフィルム、天然ゴム等）が用いられ、伸張状態でホットメルト接着剤、熱溶着、超音波溶着等の貼着手段によりパンツ１の所定部位に貼着される。
【００６５】
本実施形態に係る使い捨てパンツ１は以上のように構成されており、パンツ、おむつの両機能を併有しているため、着用時等の上げ下げが容易である。
【００６６】
また、付着片２２ａ，２２ｂは、前腹部２の内面側に設けられているため、付着片２２ａ，２２ｂが邪魔にならず、破断部１７ａ，１７ｂを外部から容易に認識できる。しかも、破断部１７ａ，１７ｂで破断する際に、付着片２２ａ，２２ｂが破断作業の邪魔になり難い。このため、破断作業を容易に行うことができる。
【００６７】
しかも、付着片２２ａ，２２ｂのうち破断部１７ａ，１７ｂを超えて延びるつまみ部２５，２６は、その本体部２４側に向けて折返されるように折畳まれているため、破断部１７ａ，１７ｂは、付着片２２ａ，２２ｂを横切らないように延びている。よって、破断部１７ａ，１７ｂで破断する際に、付着片２２ａ，２２ｂがより有効に破断作業の邪魔になり難く、この点からも破断作業を容易に行うことができる。
【００６８】
また、各破断部１７ａ，１７ｂによる破断後、パンツ状態に戻す場合や使い捨ておむつとして利用する場合には、図７や図８に示すように、つまみ部２５，２６に備えられた付着体２７，２８を付着部２３に着脱自在に止着すればよい。そして、このつまみ部２５，２６の着脱作業に際して、つまみ部２５，２６にその付近の他の部位と異なった色いわゆる目立つ着色が施されたつまみ識別用目印部３２が設けられているため、つまみ部２５，２６の位置が色の相違により容易に視認でき、ここに、つまみ部２５，２６の視認性向上が図れ、付着部２３に対するつまみ部２５，２６即ち、付着体２７，２８の着脱作業が容易迅速に行え、着脱時の作業性が向上する利点がある。
【００６９】
さらに、つまみ部２５，２６に設けられたつまみ識別用目印部３２は、その周囲の他の部位と異なる色の着色や着色テープの貼着によって容易に構成でき、安価に提供できる利点がある。
【００７０】
＜第２の実施形態＞
図９〜図１１を参照して、本発明の第２の実施形態に係る使い捨てパンツ１０１について説明する。この第２の実施形態では、付着片１２２ａ，１２２ｂが前腹部２の外面側に設けられた形態について説明する。なお、本実施形態の説明において、前記第１の実施形態で説明したものと同様構成要素については、同一符号を付してその説明を省略する。
【００７１】
この第２の実施形態に係る使い捨てパンツ１０１では、第１の実施形態のように、付着片２２ａ，２２ｂを左前腹部２ａや右前腹部２ｂの内面側に設ける構成に換えて、付着片１２２ａ，１２２ｂを左前腹部２ａや右前腹部２ｂの外面側に設ける構成としている。
【００７２】
より具体的には、付着片１２２ａ，１２２ｂは、前記付着片２２ａ，２２ｂと同様構成とされ、略縦長帯状の本体部１２４と、その本体部１２４から上下に二股に分かれてその自由端側に向けて延設された２片のつまみ部１２５，１２６とをそれぞれ有している。
【００７３】
本体部１２４の左右方向外方側端部は、接着剤６６、例えばホットメルト接着剤により、左前腹部２ａ及び右前腹部２ｂの外面側であって破断部１７ａ，１７ｂ側の端部の手前側の部分に接合されている。
【００７４】
また、付着片１２２ａ，１２２ｂのうち破断部１７ａ，１７ｂを越えて延びるつまみ部１２５，１２６は、その内面側にそれぞれ設けられた付着体１２７，１２８を介して中前腹部２ｃに設けられた付着部２３に着脱自在に止着された構造とされている。
【００７５】
そして、本実施形態においては、各付着体１２７，１２８を各つまみ部１２５，１２６に貼り付け固定するに際して、着色接着剤、例えば、予め緑色等により着色されたホットメルト接着剤を介して接着した構造とされ、各つまみ部１２５，１２６の外面側にそのホットメルト接着剤の着色された色が透過して、白色等の同色系統で構成されたその付近の他の部位から識別可能なつまみ識別用目印部１３２を備えた構造とされている。
【００７６】
なお、この使い捨てパンツ１０１では、前記付着部２９，５０は省略されている。
【００７７】
この使い捨てパンツ１０１がパンツ形態として使用される場合には、破断部１７ａ，１７ｂは破断されず、出荷段階のままの形態とされる。
【００７８】
一方、使い捨てパンツ１０１がおむつ形態として使用される場合には、各破断部１７ａ，１７ｂを破断して展開し、再度、着用する場合には、各つまみ部１２５，１２６の各付着体１２７，１２８を付着部２３に着脱自在に止着すればよい。
【００７９】
本実施形態においても、第１の実施形態と同様、つまみ部１２５，１２６の着脱作業に際して、つまみ部１２５，１２６にその付近の他の部位と異なったいわゆる目立つ着色が施されたつまみ識別用目印部１３２が設けられた構造とされており、つまみ部１２５，１２６の位置が色の相違により容易に視認でき、付着部２３に対するつまみ部１２５，１２６即ち、付着体１２７，１２８の着脱作業が容易迅速に行え、着脱時の作業性が向上する利点がある。
【００８０】
また、つまみ識別用目印部１３２は、各つまみ部１２５，１２６に各付着体１２７，１２８を貼り付け固定するための接着剤として他の部位と異なる色に着色された着色接着剤を用いることによって構成されているため、つまみ部１２５，１２６に付着体１２７，１２８を貼り付ける工程と同時につまみ識別用目印部１３２を付与することができ、別途、つまみ識別用目印部１３２を設けるための工程が不要で、製造効率に優れる利点がある。
【００８１】
なお、上記各実施形態において、つまみ部２５，２６，１２５，１２６に部分的な着色部位を設けることにより、つまみ識別用目印部３２，１３２を設けた構造を示しているが、つまみ部２５，２６，１２５，１２６全体に着色を施すことにより、つまみ識別用目印部３２，１３２を形成してもよく、その他、縁取りや模様を施すことにより周辺部位より識別可能なつまみ識別用目印部３２，１３２を形成してもよい。
【００８２】
また、つまみ識別用目印部３２，１３２は着色に限らず、フリル等の縁取りや模様を施すことにより周辺部位より識別可能なつまみ識別用目印部３２，１３２を形成してもよく、さらには、つまみ部２５，２６，１２５，１２６自体を異なる色の材料を利用して、つまみ識別用目印部３２，１３２を備える構造であってもよい。
【００８３】
さらに、前腹部２、後背部３、股部４、付着部２３を茶色等の有色材料で構成した場合に、付着片２２ａ，２２ｂを白色等の周囲と異なる色の材料で構成し、つまみ部２５，２６，１２５，１２６自体を他の周辺部位より識別可能なつまみ識別用目印部３２，１３２として構成してもよい。
【００８４】
また、第２の実施形態においては、付着体１２７，１２８を貼り付け固定するための接着剤として、他の部位と異なる色に着色された着色接着剤を用いたことにより、つまみ部１２５，１２６につまみ識別用目印部１３２を設けた構造としているが、つまみ部１２５，１２６に貼着等により取り付け固定される付着体１２７，１２８自体を、他の部位とは異なる色で形成されたものを用い、つまみ部１２５，１２６を通じて透過する付着体１２７，１２８の色により、つまみ識別用目印部１３２を備えた構造としてもよく、この場合においても第２の実施形態と同様の効果が得られる。
【００８５】
さらに、上下の各つまみ部２５，２６，１２５，１２６にそれぞれつまみ識別用目印部３２，１３２を設けた構造を示しているが、上側もしくは下側のいずれか一方のつまみ部２５，２６，１２５，１２６にのみつまみ識別用目印部３２，１３２を設ける構造としてもよい。
【００８６】
また、各付着片２２ａ，２２ｂ，１２２ａ，１２２ｂにそれぞれ上下一対の各つまみ部２５，２６，１２５，１２６を備えた構造を示しているが、単一のつまみ部や或いは３片以上のつまみ部を備えた構造であってもよく、上記各実施形態の数や形状に何ら限定されない。
【図面の簡単な説明】
【００８７】
【図１】本発明の第１の実施形態に係る使い捨てパンツの正面図である。
【図２】図１の使い捨てパンツの右破断部を破断して右前腹部を展開した状態を示す図である。
【図３】図２の使い捨てパンツの左破断部を破断して左前腹部を展開すると共に、股部を展開した状態を示す図である。
【図４】図３の使い捨てパンツを図３の反対側から見た図である。
【図５】図１の使い捨てパンツのＣ１−Ｃ１線に沿った部分の断面図である。
【図６】図３の使い捨てパンツのＣ２−Ｃ２線に沿った部分の断面図である。
【図７】左右のつまみ部を中前腹部に止着した状態を示す図である。
【図８】図７の使い捨てパンツのＣ３−Ｃ３線に沿った部分の断面図である。
【図９】本発明の第２の実施形態に係る使い捨てパンツの正面図である。
【図１０】同展開状態を示す図である。
【図１１】図１０の使い捨てパンツを図１０の反対側から見た図である。
【符号の説明】
【００８８】
１，１０１  使い捨てパンツ、２  前腹部、２ａ  左前腹部、２ｂ  右前腹部、２ｃ  中前腹部、３  後背部、３ａ  腰回り部、３ｂ  臀部、４  股部、４ａ  前股部、４ｂ  後股部、４ｃ  中股部、１７ａ  左破断部、１７ｂ  右破断部、１８  接合部分、２２ａ，２２ｂ，１２２ａ，１２２ｂ  付着片、２３  付着部、２４，１２４  本体部、２５，２６，１２５，１２６  つまみ部、２７，２８  付着体、３２，１３２  つまみ識別用目印部、４３  吸収体。
【図１】
2006198068.tif 000003
【図２】
2006198068.tif 000004
【図３】
2006198068.tif 000005
【図４】
2006198068.tif 000006
【図５】
2006198068.tif 000007
【図６】
2006198068.tif 000008
【図７】
2006198068.tif 000009
【図８】
2006198068.tif 000010
【図９】
2006198068.tif 000011
【図１０】
2006198068.tif 000012
【図１１】
2006198068.tif 000013